(57)【要約】【課題】落雷などにより散水部が故障をしても、全散水部の動作が停止してしまうことがなく、また容易に復旧可能なゴルフ場の散水制御装置を提供すること。【解決手段】中央制御装置から電源ライン１１を介して、ゴルフ場に分散配置された各散水部１に電源が供給される。また、該電源には制御信号が重畳され、各散水部１は、該制御信号を受信して各散水部１の電磁弁２を開閉して散水を制御する。散水部１の駆動ユニット３の入力側には保護部４が設けられる。保護部４は、過電流遮断手段とサージ吸収素子とノイズフィルタなどを備え、落雷などにより過大な電圧が印加されると上記サージ吸収素子が導通し過電流遮断手段を遮断する。このため、落雷のあった箇所の近傍の散水部１の動作は停止するものの、落雷のあった箇所から離れた位置に設置され散水部１は動作を継続し、落雷等により全散水部が停止することはない。【選択図】          図３
0003124864.tif 000002
【実用新案登録請求の範囲】
【請求項１】
ゴルフ場に分散して配置され、ゴルフ場内の複数箇所で散水する散水器を制御する散水制御装置であって、
上記散水制御装置は、
ゴルフ場に分散配置された各散水部と、電源から各散水部に給電するための電源ラインと、上記電源ラインに制御信号を重畳させ各散水部に該制御信号を送出する中央制御装置とから構成され、
上記散水部は、
芝生などに散水するための散水器と、散水器への給水路に設けられた電磁弁と、中央制御装置から上記電源ラインに重畳して搬送されてくる電磁弁制御信号を受信し、受信した制御信号に基づき上記電磁弁の開閉を制御する駆動ユニットと、上記受信部への電源ライン中に直列に設けられた保護部を有し、
上記保護部は、過電流が流れたとき電源ラインを遮断する過電流遮断手段と、該過電流遮断手段に直列に接続され、雷サージを接地側に放電させるサージ吸収素子と、上記過電流遮断手段に並列に接続され該過電流遮断手段が遮断状態になったとき点灯する表示素子と、上記サージ吸収素子に接続され、雷サージの通過を阻止するフィルタ素子とから構成され、
上記電源ラインは上記保護部の過電流遮断手段とサージ吸収素子から構成される直列回路の両端に接続され、前記受信手段の入力端子は、上記フィルタ素子を介してサージ吸収素子の両端に接続されている
ことを特徴とするゴルフ場の散水制御装置。
【考案の詳細な説明】
【技術分野】
【０００１】
本考案は、ゴルフ場に設置され、各コース、グリーンなどへ散水するため複数の散水器を含む散水部と、これら散水器を制御する中央制御装置から構成される散水制御装置に関し、特に、各散水場所に設置された散水部の一つの散水部が落雷などにより故障した場合でも、全体の散水動作には支障がないようにしたゴルフ場の散水制御装置に関する。
【背景技術】
【０００２】
ゴルフ場には、芝生に散水するための多数の散水器が分散して設置されている。これら散水器には給水を制御するための電磁弁を備えた散水部が設けられ、各散水部は中央に設けられた中央制御装置により集中制御され、ゴルフ場各場所での散水が制御される。
上記のようなゴルフ場の散水制御システムとしては、従来から種々のものが提案されている（例えば特許文献１，２等参照）。
上記中央制御装置から各散水部への制御信号の伝送は、無線、有線などの種々の伝送方式があるが、例えば、中央に設けられた電源から上記各散水部に給電する電源ラインに、制御信号を重畳して伝送する方式が用いられている。
【０００３】
図５に上記ゴルフ場における中央制御装置と散水部の配置例を示す。同図に示すように、例えば管理棟に中央制御装置１０が設置され、ゴルフ場の各フェアウェイＦ、グリーンＧの近傍には散水部１−１，…１−ｎが設置される。
中央制御装置１０と各散水部１−１〜１−ｎは、例えば２芯の電源ケーブルで接続され、この電源ケーブルにより各散水部に給電するとともに、この電源ケーブルに制御信号を重畳して、各散水部に伝送する。
各散水部１−１，…１−ｎには、上記電源ケーブルを介して伝送される制御信号を受信し、受信した制御信号に応じて上記電磁弁の開閉を制御する駆動ユニットと、給水を制御する電磁弁と、コースに水を散水する散水器が設けられ、中央制御装置１０からの制御信号に応じて電磁弁の開閉が制御されコースへの給水が行われる。
【特許文献１】特開２００５−２７５０７号公報
【特許文献２】実開平６−２４７６３号公報
【考案の開示】
【考案が解決しようとする課題】
【０００４】
上記構成の散水制御装置においては、落雷などにより散水部等が故障し、短絡、地絡状態になると、各散水部に電源を供給する電源ラインに過電流が流れるため、電源側に設けられたサーキットプロテクタ等が動作し、電源が遮断される。このため、全コースの散水部への電源供給が停止し、全コースへの散水が停止してしまう。上記短絡、地絡状態が継続している間は、再度電源を投入しても、サーキットプロテクタは再度動作してしまい、電源供給は出来ない。
散水制御装置の動作を復旧させるには、短絡、地絡個所を探し、故障した散水部を電源ラインから切り離す必要があるが、図５にも示したように、散水部はゴルフ場の各場所に分散して配置されており、どの散水部が故障したかは、すぐには分からない。このため、従来においては、散水部を一つずつチェックして、故障した散水部を見つけなければならず、復旧に大変手間取っていた。
本考案は上記従来の問題点を解決するためになされたものであって、その目的は、落雷などにより散水部が短絡、地絡などの故障をしても、全散水部の動作が停止してしまうことがなく、また、故障した散水部を容易に見つけ出し、直ちに復旧が可能なゴルフ場の散水制御装置を提供することである。
【課題を解決するための手段】
【０００５】
上記課題を本考案においては、次のように解決する。
ゴルフ場に分散して配置され、ゴルフ場内の複数箇所で散水する散水器を制御する散水制御装置において、上記散水制御装置を、ゴルフ場に分散配置された各散水部と、電源から各散水部に給電するための電源ラインと、上記電源ラインに制御信号を重畳させ各散水部に該制御信号を送出する中央制御装置とから構成する。
上記散水部は、芝生などに散水するための散水器と、散水器への給水路に設けられた電磁弁と、中央制御装置から上記電源ラインに重畳して搬送されてくる電磁弁制御信号を受信し、受信した制御信号に基づき上記電磁弁の開閉を制御する駆動ユニットと、上記受信部への電源ライン中に直列に設けられた保護部を有し、上記保護部は、過電流が流れたとき電源ラインを遮断する過電流遮断手段と、該過電流遮断手段に直列に接続され、雷サージを接地側に放電させるサージ吸収素子と、上記過電流遮断手段に並列に接続され該過電流遮断手段が遮断状態になったとき点灯する表示素子と、上記サージ吸収素子に接続され、雷サージの通過を阻止するフィルタ素子とから構成される。そして、上記電源ラインは上記保護部の過電流遮断手段とサージ吸収素子から構成される直列回路の両端に接続され、前記受信手段の入力端子は、上記フィルタ素子を介してサージ吸収素子の両端に接続される。
【考案の効果】
【０００６】
本考案においては、各散水部に、過電流が流れたとき電源ラインを遮断する過電流遮断手段と、サージ吸収素子とを有する保護部を設け、落雷等により過電流が流れると、過電流遮断手段により電源ラインを遮断し、落雷などのあった散水部を切り離すようにしたので、既存の散水制御装置に保護部を追加することで、落雷等により故障した散水部を切り離すことができる。このため、一つの散水部が故障しても全散水部が停止してしまうことがない。
また、各保護部に表示部が設けられ、上記過電流遮断手段が遮断状態になったとき、点灯するので、故障した散水部を容易に見つけることができる。
【考案を実施するための最良の形態】
【０００７】
図１は本考案の散水制御装置の全体構成を示す図である。同図において、１０はゴルフ場の管理棟などに設置された中央制御装置である。中央制御装置１０は例えばパソコンなどの処理装置１０ａと、処理装置１０ａからの信号に基づき制御信号を生成して出力するインタフェース部１０ｂと、電源ライン１１にインタフェース部１０ｂから与えられる制御信号を重畳して出力する電源ユニット１０ｃとから構成される。
電源ユニット１０ｃは出力はゴルフ場の各所に分散配置された各散水部１−１，１−２，…に電源ライン１１を介して接続される。各散水部１−１，１−２，…には散水器への給水を制御する電磁弁２が設けられる。
処理装置１０ａは、天候などに応じて予め設定されたスケジュールで散水の開始／停止を指令する信号を送出する。インタフェース部１０ｂはこの信号から制御信号を生成し、この制御信号は、電源ユニット１０ｃにおいて電源に重畳され、各散水部１−１，１−２，…に送出される。
【０００８】
図２は上記電源ライン１１を介して供給される制御信号が重畳された電源波形の一例を示す図である。電源ライン１１には、同図に示すように正負に変化する矩形波状の交流電圧が印加され、正の半サイクル、負の半サイクルに各散水部を制御するための例えばデジタルコード信号からなる制御信号が重畳される。
各散水部１−１，１−２，…では、上記矩形波状の交流電圧を整流・平滑し各散水部１−１，１−２，…の駆動電源とするとともに、重畳された制御信号を抽出し、この制御信号に基づき各散水部１−１，１−２，…に設けられた電磁弁２の開閉を制御する。
【０００９】
図３は本考案における散水部の構成例を示す図、図４は本考案の保護部の回路構成例を示す図である。
図３において、２は前記した電磁弁、３は該電磁弁を駆動する駆動ユニット、４は本考案において付加された保護部である。
電源ライン１１の本線１１ａから分岐した線路に保護部４を介して駆動ユニット３が接続され、駆動ユニット３の出力側に散水器への給水を制御する電磁弁２が接続される。
保護部４は、後述するようにヒューズ、サーキットブレーカなどの過電流遮断手段と、アレスタ、バリスタなどのサージ吸収素子とノイズフィルタなどを備え、落雷などにより過大な電圧が印加されると上記サージ吸収素子が導通し過電流遮断手段が遮断する。
駆動ユニット３は保護部４の過電流遮断手段が導通しているときは、保護部４を介して電源ライン１１から給電されるとともに、該電源ライン１１に重畳して伝送されてる制御信号を受信し、制御信号に応じて電磁弁２を開閉する。
例えば電源ライン１１を介して図２に示す矩形波状の交流電圧が印加される場合には、前述したように駆動ユニット３はこの交流電圧を整流・平滑して、電源として駆動ユニットの各部に給電する。また、矩形波状の交流電圧に重畳して伝送されてくる制御信号を分離抽出しデコードする。そして、この制御信号が電磁弁２の開指令であれば、電磁弁２を開き当該散水部から散水する。また、電磁弁２の閉指令であれば、電磁弁２を閉じて散水を停止する。
【００１０】
図４に上記保護部４の具体的構成例を示す。保護部４には、過電流遮断手段である例えばヒューズ４ａと、サージ吸収素子である例えばアレスタ４ｂ，４ｃ，４ｄが設けられ、ヒューズ４ａとアレスタ４ｂ，４ｃの直列回路が前記電源ラインに接続された線路に接続され、アレスタ４ｂ，４ｃの接続点が接地されている。さらにアレスタ４ｂ，４ｃの直列回路に並列にアレスタ４ｄが接続され、アレスタの両端にノイズフィルタ４ｅ，４ｆの一方端が接続され、ノイズフィルタ４ｅ，４ｆの他端が、前記駆動ユニット３の入力側に接続される。
また、上記ヒューズ４ａには並列にＬＥＤ４ｇと抵抗４ｈの直列回路が接続される。
図４において、通常動作時にはアレスタ４ｂ，４ｃ，４ｄは遮断状態であり、電源ラインの本線１１から分岐した線路１１ａから、ヒューズ４ａ、ノイズフィルタ４ｅ，４ｆを介して駆動ユニット３に前記図２に示した制御信号が重畳した交流電圧が供給される。
保護部４の近傍で落雷などがあり、サージ電圧が保護部４に印加されると、上記アレスタ４ｂ〜４ｄが導通状態となり、ヒューズ４ａが遮断する。
このため、該保護部４の出力側に接続された駆動ユニット３には、電源などが供給されなくなり、駆動ユニット３は動作を停止し、電磁弁２は閉じる。また、ヒューズ４ａが遮断することによりＬＥＤ４ａに電圧が印加され、ＬＥＤ４ｇは点灯する。
【００１１】
落雷などにより生じるサージ電圧は電源ライン１１を伝播する間に減衰するので、落雷などによりサージ電圧が発生した場合、落雷のあった箇所の近傍の散水部１に設けられた保護部４のヒューズ４ａは遮断するが、落雷のあった箇所から離れた位置に設置された散水部１に設けられた保護部４のヒューズ４ａは遮断しない。
このため、落雷等により一部の散水部は動作不能となるものの、他の散水部は動作可能であり、落雷等により全ての散水部が動作不能となることはない。また、ヒューズ４ａが遮断した保護部４のＬＥＤ４ｇが点灯するので、どの保護部４が落雷等により故障したのかが直ちにわかる。
【００１２】
また、保護部４のアレスタ４ｂ，４ｃ，４ｄには一時的にサージ電圧が印加されるが、アレスタ４ｂ，４ｃ，４ｄの両端にはノイズフィルタ４ｅ，４ｆが接続されているため、上記サージ電圧はノイズフィルタ４ｅ，４ｆで阻止され、駆動ユニット３には印加されない。このため、落雷などがあっても、サージ電圧により駆動ユニット３が故障することはない。
したがって、予備の保護部４を用意しておき、落雷などにより保護部が遮断した場合、該保護部４を予備の保護部に交換すれば、散水部を正常に動作させることが可能である。  なお、上記説明では、保護部４にヒューズとアレスタを用いる場合について説明したが、ヒューズに代えてサーキットブレーカなどの過電流遮断手段を用いてもよく、また、サージ吸収素子としては、アレスタ以外の手段を用いてもよい。
【図面の簡単な説明】
【００１３】
【図１】本考案の散水制御装置の全体構成を示す図である。
【図２】制御信号が重畳された電源波形の一例を示す図である。
【図３】本考案における散水部の構成例を示す図である。
【図４】本考案の保護部の回路構成例を示す図である。
【図５】ゴルフ場における中央制御装置と散水部の配置例を示す図である。
【符号の説明】
【００１４】
１      散水部
２      電磁弁
３      駆動ユニット
４      保護部
１０    中央制御装置
１０ａ  処理装置
１０ｂ  インタフェース部
１０ｃ  電源ユニット
１１    電源ライン
【図１】
0003124864.tif 000003
【図２】
0003124864.tif 000004
【図３】
0003124864.tif 000005
【図４】
0003124864.tif 000006
【図５】
0003124864.tif 000007